(57)【要約】【課題】屋内での使用ができ、かつ、洗浄効果に優れる洗浄装置を提供することを課題とする。【解決手段】食品業界等の施設内の各種設備・機器・床等の被洗浄物Ｃを洗浄する装置であって、少なくとも、水を貯蔵する水タンク１と、前記水タンク１内の水を加圧し、アンローダー３を介して排出する高圧ポンプ２と、前記高圧ポンプ２から排出された高圧水を、蒸気によって加熱する加熱器４と、前記加熱器４によって加熱された高圧熱水Ｗを被洗浄物Ｃに噴射する噴射ノズル５と、を備えている。【選択図】図３
0003111333.tif 000002
【実用新案登録請求の範囲】
【請求項１】
施設内の各種設備・機器・床等の被洗浄物（Ｃ）の汚れを落とす装置であって、
少なくとも、水を貯蔵する水タンク（１）と、
前記水タンク内の水を加圧し、アンローダー（３）を介して排出する高圧ポンプ（２）と、
前記高圧ポンプから排出された高圧水を，蒸気によって加熱する加熱器（４）と、
前記加熱器によって加熱された高圧熱水（Ｗ）を前記被洗浄物に噴射する噴射ノズル（５）と、を備えてなる高圧熱水洗浄装置。
【考案の詳細な説明】
【技術分野】
【０００１】
本考案は、施設内の各種設備・機器・床等の汚れを、高圧の熱水によって洗浄し汚れを落とす洗浄装置に関するものである。
【背景技術】
【０００２】
従来、施設内の各種設備・機器・床等の汚れを高圧の熱水によって洗浄する装置には、貯湯式とヒートコイル式の洗浄装置が使用されている。
【０００３】
そのうち、貯湯式の洗浄装置は、図１に示すように、水道水などの水を水タンク２０に溜め、その水を灯油バーナ２１で暖め、そこから高圧ポンプ２２によって加圧し、噴射ノズル２３から噴射し、洗浄している。なお、図中、符号２４は燃料タンク、２５は燃料ポンプ、２６は燃料配管、２７は熱電対（温度センサー）、２８はアンローダーを示す。また、Ｗは高圧熱水、またＣは被洗浄物を示す。
【０００４】
また、ヒートコイル式の洗浄装置は、図２に示すように、水タンク２０の水を高圧ポンプ２２で加圧した後、加熱器３０内に送り、そこで灯油バーナ２１で暖めて温水とし、そのまま噴射させて洗浄している。なお、図中、符号２９は圧力スイッチ、３１はフロースイッチである。
【考案の開示】
【考案が解決しようとする課題】
【０００５】
しかし、従来の貯湯式およびヒートコイル式の洗浄装置は、共に、灯油バーナを使用して水を加熱するので、有毒な排気ガスＧを排出し、また、火災の危険性があるので、屋内での使用が困難である。従って、例えば、建物内に据え付けている機械を洗浄することができないといった問題がある。
【０００６】
また、貯湯式の洗浄装置は、その構造上、水を最高８５℃程度までしか加熱することができない。従って、洗浄効果が十分でないといった問題がある。
【０００７】
本考案はこうした問題に鑑み創案されたもので、屋内での使用ができ、かつ、洗浄効果に優れる洗浄装置を提供することを課題とする。
【課題を解決するための手段】
【０００８】
請求項１に記載の高圧熱水洗浄装置は、施設内の各種設備・機器・床等の被洗浄物Ｃの汚れを落とす装置であって、少なくとも、水を貯蔵する水タンク１と、前記水タンク１内の水を加圧し、アンローダー３を介して排出する高圧ポンプ２と、前記高圧ポンプ２から排出された高圧水を、蒸気によって加熱する加熱器４と、前記加熱器４によって加熱された高圧熱水Ｗを前記被洗浄物Ｃに噴射する噴射ノズル５と、からなるものである。
【考案の効果】
【０００９】
本考案に係る高圧熱水洗浄装置は、水を加熱するのに蒸気を使用し、従来のような灯油バーナを使用しないので、有毒な排気ガスを発生させず、また、火災の危険性もない。従って、屋内で使用することができ、例えば、屋内に設置している機械を洗浄することができる。
【００１０】
また、この高圧熱水洗浄装置は、高圧ポンプ２によってあらかじめ加圧して得た高圧水を加熱器４によって加熱するので、１００℃近くの高圧熱水Ｗとすることができる。従って、洗浄効果に優れる。
【００１１】
さらに、高圧ポンプ２は常温の水を吸水加圧するものであり、従来の貯湯式の洗浄装置のように温水を加圧するものではないので、当該高圧ポンプ２の耐久性を高めることができる。従って、装置の寿命を延ばすことができ、経済性に優れる。
【００１２】
なお、本考案に係る高圧熱水洗浄装置は、例えば、食品工場のように、水道水や井戸水などの水と共に、ボイラー１２を備えて常に蒸気を供給できる場所であれば、いつでも容易に使用することができる。
【考案を実施するための最良の形態】
【００１３】
本考案に係る高圧熱水洗浄装置の実施形態を、図３に示す。これは、食品業界等の施設内の各種設備・機器・床等の被洗浄物Ｃの汚れを落とす装置であり、水タンク１、高圧ポンプ２、二つの加熱器４および噴射ノズル５を備える。水（高圧水および高圧熱水Ｗを含む）は、水配管６によって供給している。
【００１４】
水タンク１は、水道の水を貯蔵するものである。また、高圧ポンプ２は、水タンク１内の水を加圧し、アンローダー３を介して排出するものである。加熱器４は、高圧ポンプ２から排出された高圧水を、蒸気によって加熱するはたらきをする。また、噴射ノズル５は、加熱器４によって加熱された高圧熱水Ｗを被洗浄物Ｃに強力に噴射するものである。
【００１５】
なお、本実施形態においては、水タンク１の上流側に、水道の水を所定の圧力に減圧する水道用減圧弁７と、蒸気配管１３の蒸気を、必要に応じて水タンク１に供給するためのミキシングバルブ８を設けている。また、高圧ポンプ２には、当該高圧ポンプ２を作動するための二つの圧力スイッチ９を設け、その下流側には高圧水を流すためのフロースイッチ１０を設けている。圧力スイッチ，フロースイッチは加熱器の電磁弁を制御するものである。さらに、加熱器４の下流側には高圧熱水Ｗの温度を測定するための熱電対（温度センサー）１１を設けている。なお、高圧ポンプ２から供給された高圧水の一部は、必要に応じて、アンローダー３から水タンク１に戻すようにしている。
【００１６】
また、蒸気はボイラー１２によって発生させ、蒸気配管１３を通して加熱器４に供給している。蒸気配管１３には、ボイラー１２に発生した蒸気の圧力を測定する一次側圧力計１４と、その測定圧力値によって必要に応じて蒸気の圧力を減圧する蒸気用減圧弁１６、および減圧後の蒸気圧を測定する二次側圧力計１５を設けている。また、その下流側に蒸気を通過させ、あるいは遮断する二つの電磁弁１７を並列設している。さらに、加熱器４には、熱を奪われて水となった蒸気を排出するためのドレンを設けている。
【００１７】
本実施形態における高圧熱水洗浄装置は、次のように作用する。水道水を蓄えた水タンク１の水を、高圧ポンプ２によって加圧して高圧水とし、アンローダー３を介して高圧水として加熱器４に供給する。この加熱器４には、ボイラー１２で発生させた蒸気が供給されており、従って、この加熱器４内を、水配管６内を通りながら通過する高圧水は、その蒸気によって高温（１００℃近く）に加熱され、高圧熱水Ｗとなって排出される。排出された高圧熱水Ｗは、そのまま噴射ノズル５から機械などの被洗浄物Ｃに噴射され、当該被洗浄物Ｃに付着している汚れを落とす。
【００１８】
上記した構成の高圧熱水洗浄装置は、蒸気によって水を加熱するので、加熱時に有毒な排気ガスを一切発生させない。また、火災の危険性もない。従って、通気性が十分ではない工場の屋内に設置されている機械でも安全に洗浄することができる。
【００１９】
また、この高圧熱水洗浄装置は、高圧ポンプ２によって加圧した高圧水を加熱するので、通常の水を加熱するのと異なり、容易に１００℃近くまで熱することができる。従って、より高温の高圧熱水Ｗによって汚れを効果的に落とすことができ、洗浄効果を高めることができる。
【図面の簡単な説明】
【００２０】
【図１】従来技術に係る貯湯式の洗浄装置を示す流路配置図である。
【図２】従来技術に係るヒートコイル式の洗浄装置を示す流路配置図である。
【図３】本考案に係る高圧熱水洗浄装置の実施形態を示す流路配置図である。
【符号の説明】
【００２１】
１        水タンク
２        高圧ポンプ
３        アンローダー
４        加熱器
５        噴射ノズル
６        水配管
７        水道用減圧弁
８        ミキシングバルブ
９        圧力スイッチ
１０      フロースイッチ
１１      熱電対
１２      ボイラー
１３      蒸気配管
１４      一次側圧力計
１５      二次側圧力計
１６      蒸気用減圧弁
１７      電磁弁
１８      ドレン
２０      水タンク
２１      灯油バーナ
２２      高圧ポンプ
２３      噴射ノズル
２４      燃料タンク
２５      燃料ポンプ
２６      燃料配管
２７      熱電対
２８      アンローダー
２９      圧力スイッチ
３０      加熱器
３１      フロースイッチ
Ｃ        被洗浄物
Ｇ        排気ガス
Ｗ        高圧熱水
【図１】
0003111333.tif 000003
【図２】
0003111333.tif 000004
【図３】
0003111333.tif 000005